(57)【要約】【課題】焼増しプリント等のデータ処理の注文における利便性の向上を図ることである。【解決手段】本発明の注文シートを適用した注文票αには、複数人のグループで共有する画像データのサムネイル画像の一覧が印刷されるとともに、当該画像データに対する所定の処理（焼増し、ＣＤ−Ｒへの書き込み等）の注文を行う方法、その注文に対する代金の支払方法及びその所定の処理により作成された作成物（焼増しプリント、ＣＤ−Ｒ等）の受取方法が印刷されており、これら注文方法、支払方法及び受取方法は、それぞれ、複数種類の中から択一的に選択可能となっている。【選択図】　　　　　　図４
2004058451.tif 000002
【特許請求の範囲】
【請求項１】
客が保有するデータに対する所定の処理の注文を行うための注文シートであって、
前記客が保有するデータの識別情報と、
前記客が保有するデータに対する所定の処理の注文を行う方式と、が印刷され、
前記注文を行う方式は、複数種類から構成され、前記複数種類の中から択一的に選択するための記入欄が設けられていることを特徴とする注文シート。
【請求項２】
客が保有するデータに対する所定の処理の注文を行うための注文シートであって、
前記客が保有するデータの識別情報と、
前記所定の処理により作成された作成物の受取方式と、が印刷され、
前記受取方式は、複数種類から構成され、前記複数種類の中から択一的に選択するための記入欄が設けられていることを特徴とする注文シート。
【請求項３】
客が保有するデータに対する所定の処理の注文を行うための注文シートであって、
前記客が保有するデータの識別情報と、
前記所定の処理の注文に対する代金の支払方式と、が印刷され、
前記支払方式は、複数種類から構成され、前記複数種類の中から択一的に選択するための記入欄が設けられていることを特徴とする注文シート。
【請求項４】
客が保有するデータに対する処理の注文を行うための注文シートであって、
前記客が保有するデータの識別情報と、
前記客が保有するデータに対する処理の内容と、が印刷され、
前記客が保有するデータに対する処理は、複数種類から構成され、前記複数種類の中から択一的に選択するための記入欄が設けられていることを特徴とする注文シート。
【請求項５】
客が保有するデータに対する所定の処理の注文を行うための注文シートであって、
前記客が保有するデータの識別情報と、
前記客が保有するデータに対する所定の処理の注文を行う方式と、
前記所定の処理の注文に対する代金の支払方式と、
前記所定の処理により作成された作成物の受取方式と、が印刷され、
前記注文を行う方式、前記支払方式及び前記受取方式のうちの少なくとも１つは、複数種類から構成され、前記複数種類の中から択一的に選択するための記入欄が設けられていることを特徴とする注文シート。
【請求項６】
前記客が保有するデータは画像データであり、
前記画像データの識別情報として、当該画像データのサムネイル画像が印刷されていることを特徴とする請求項１〜５の何れか一項に記載の注文シート。
【請求項７】
前記客が保有するデータは、所定のグループで共有するデータであり、
前記所定のグループを構成するメンバーの識別情報の記入欄が設けられていることを特徴とする請求項１〜６の何れか一項に記載の注文シート。
【発明の詳細な説明】
【０００１】
【発明の属する技術分野】
本発明は、データ処理の注文を行うための注文シートに関する。
【０００２】
【従来の技術】
従来より、ＡＰＳ（Ａｄｖａｎｃｅｄ　Ｐｈｏｔｏ　Ｓｙｓｔｅｍ）では、フィルムに撮影された画像の一覧をプリントするインデックスプリントを行うサービスを提供している。このインデックスプリントは、フィルムの撮影画像の確認等に役立っている。
【０００３】
また、一般にグループ旅行や同窓会等、複数人で構成されたグループ内で撮影された写真画像の焼増しを行う場合、グループの代表者（例えば、幹事役や撮影者）が、プリントサービスを提供している写真専門店や取次店の店頭で、グループメンバー全員分の注文を行うことが多い。
【０００４】
【発明が解決しようとする課題】
しかしながら、上述のインデックスプリントは、実用的な利用方法が少なく、利便性に欠けていた。例えば、焼増し等のプリント注文においては、インデックスプリントは、撮影画像の確認に利用されるのみで、実際の注文は、インデックスプリントとは異なる紙やスタッファを用いて行われていた。このようなスタッファ等を用いたプリント注文は、写真専門店や取次店等の店頭での注文を前提としており、多忙な者にとっては、店頭に出向いて注文をする時間を作るのが困難であった。
【０００５】
また、上述のグループ内で撮影された写真画像の焼増しは、グループ代表者（例えば、幹事役や撮影者）の裁量に応じて行われた上で、被撮影者であるグループの各メンバーに配布されることが多いため、各メンバーには、欲しくない画像が配布されたり、所望の画像が配布されなかったり等の不都合が生じることがあった。
【０００６】
本発明の課題は、焼増しプリント等のデータ処理の注文における利便性の向上を図ることである。
【０００７】
【課題を解決するための手段】
上記課題を解決するため、請求項１記載の発明は、
客が保有するデータに対する所定の処理の注文を行うための注文シートであって、
前記客が保有するデータの識別情報と、
前記客が保有するデータに対する所定の処理の注文を行う方式と、が印刷され、
前記注文を行う方式は、複数種類から構成され、前記複数種類の中から択一的に選択するための記入欄が設けられていることを特徴としている。
【０００８】
請求項１記載の注文シートによれば、所定の処理の注文を行う方式が、複数種類の中から選択可能であることにより、注文者は、所望の注文方式で注文を行うことができ、注文がし易くなる。
【０００９】
請求項２記載の発明は、
客が保有するデータに対する所定の処理の注文を行うための注文シートであって、
前記客が保有するデータの識別情報と、
前記所定の処理により作成された作成物の受取方式と、が印刷され、
前記受取方式は、複数種類から構成され、前記複数種類の中から択一的に選択するための記入欄が設けられていることを特徴としている。
【００１０】
請求項２記載の注文シートによれば、所定の処理により作成された作成物の受取方式が、複数種類の中から選択可能であることにより、注文者は、所望の受取方式で注文を行うことができ、注文がし易くなる。
【００１１】
請求項３記載の発明は、
客が保有するデータに対する所定の処理の注文を行うための注文シートであって、
前記客が保有するデータの識別情報と、
前記所定の処理の注文に対する代金の支払方式と、が印刷され、
前記支払方式は、複数種類から構成され、前記複数種類の中から択一的に選択するための記入欄が設けられていることを特徴としている。
【００１２】
請求項３記載の注文シートによれば、所定の処理の注文に対する代金の支払方式が、複数種類の中から選択可能であることにより、注文者は、所望の支払方式で注文を行うことができ、注文がし易くなる。
【００１３】
請求項４記載の発明は、
客が保有するデータに対する処理の注文を行うための注文シートであって、
前記客が保有するデータの識別情報と、
前記客が保有するデータに対する処理の内容と、が印刷され、
前記客が保有するデータに対する処理は、複数種類から構成され、前記複数種類の中から択一的に選択するための記入欄が設けられていることを特徴としている。
【００１４】
請求項４記載の注文シートによれば、データに対する処理が、複数種類の中から選択可能であることにより、注文客は、所望の処理を注文することができる。
【００１５】
請求項５記載の発明は、
客が保有するデータに対する所定の処理の注文を行うための注文シートであって、
前記客が保有するデータの識別情報と、
前記客が保有するデータに対する所定の処理の注文を行う方式と、
前記所定の処理の注文に対する代金の支払方式と、
前記所定の処理により作成された作成物の受取方式と、が印刷され、
前記注文を行う方式、前記支払方式及び前記受取方式のうちの少なくとも１つは、複数種類から構成され、前記複数種類の中から択一的に選択するための記入欄が設けられていることを特徴としている。
【００１６】
請求項５記載の注文シートによれば、データ処理の注文を行う方式、支払方式及び受取方式のうちの少なくとも１つは、複数種類の中から選択可能であることにより、注文者は、自分の都合にあわせてデータ処理の注文を行うことができ、注文がし易くなる。
【００１７】
請求項６記載の発明は、請求項１〜５の何れか一項に記載の発明において、
前記客が保有するデータは画像データであり、
前記画像データの識別情報として、当該画像データのサムネイル画像が印刷されていることを特徴としている。
【００１８】
請求項６記載の注文シートによれば、データ処理の対象となる画像データのサムネイル画像が印刷されていることにより、注文者は、データ処理注文を行う画像を容易に確認することができる。
【００１９】
請求項７記載の発明は、請求項１〜６の何れか一項に記載の発明において、
前記客が保有するデータは、所定のグループで共有するデータであり、
前記所定のグループを構成するメンバーの識別情報の記入欄が設けられていることを特徴としている。
【００２０】
請求項７記載の注文シートによれば、所定のグループを構成するメンバーの識別情報の記入欄が設けられていることにより、グループの各メンバーが自ら注文を行うことが可能になる。
【００２１】
【発明の実施の形態】
以下、図を参照して本発明の実施の形態を詳細に説明する。
まず、構成を説明する。
【００２２】
図１は、本発明の注文シートを発行するための注文票発行機１の内部構成を示すブロック図である。注文票発行機１は、プリントサービスやメディア書き込みサービス等のフォトサービスを提供する写真専門店や取次店、コンビニエンスストア、ドラッグストア等に設置され、図１に示すように、制御部１０、表示部１１、キー入力部１２、メディア入力部１３、メディア出力部１４、プリント出力部１５、記憶部１６、通信部１７により構成され、各部は、バス１８により接続されている。
【００２３】
制御部１０は、ＣＰＵ（Ｃｅｎｔｒａｌ　Ｐｒｏｃｅｓｓｉｎｇ　Ｕｎｉｔ）、ＲＡＭ（Ｒａｎｄｏｍ　ＡｃｃｅｓｓＭｅｍｏｒｙ）、ＲＯＭ（Ｒｅａｄ　Ｏｎｌｙ　Ｍｅｍｏｒｙ）等により構成される。
【００２４】
制御部１０内のＣＰＵは、ＲＯＭに格納された注文票発行機１用の各種プログラムの中から、指定されたプログラムをＲＡＭ内のワークエリアに展開し、当該プログラムに従った処理を実行する。具体的には、制御部１０は、各種データ処理（焼増し、ＣＤ−Ｒへの書き込み等）を注文するための注文票を発行する注文票発行処理を実行する（図３参照）。
【００２５】
制御部１０内のＲＡＭは、ＣＰＵにより実行される処理プログラム等を、ＲＡＭ内のプログラム格納領域に展開するとともに、入力データや上記処理プログラムが実行される際に生じる処理結果等をワークエリアに格納する。
【００２６】
制御部１０内のＲＯＭは、注文票発行機１で実行可能なシステムプログラム、当該システムプログラムで実行可能な注文票発行処理プログラム及び注文票発行処理プログラムで利用されるデータ等を格納している。これらのプログラムは、コンピュータが読み取り可能なプログラムコードの形でＲＯＭに格納されている。なお、システムプログラム以外の実行可能な注文票発行処理プログラム等やデータ等を、記憶部１６が格納するようにしてもよい。
【００２７】
表示部１１は、ＬＣＤ（Ｌｉｑｕｉｄ　Ｃｒｙｓｔａｌ　Ｄｉｓｐｌａｙ）やＣＲＴ（Ｃａｔｈｏｄｅ　Ｒａｙ　Ｔｕｂｅ）等により構成され、制御部１０から入力される表示信号に従って、所要の表示処理を行う。表示部１１における表示は、グラフィックを用いてもよいし、テキストのみを用いてもよい。また、グラフィックとテキストを併用して表示するようにしてもよい。更に、注文票発行機１が単一動作を行うものである場合、表示部１１を備えないようにしてもよい。
【００２８】
キー入力部１２は、テンキー、カーソルキー、各種ファンクションキー等を有し、キーの押下信号による操作信号を制御部１０に出力する。キー入力部１２におけるキーは、１箇所に集中してレイアウトされていてもよいし、複数箇所に分散されてレイアウトされていてもよい。また、キー入力部１２は、表示部１１のＬＣＤと一体になったタッチパネルを含んでいてもよい。
【００２９】
メディア入力部１３は、デジタルカメラ用のメディアであるメモリスティック（登録商標）、スマートメディア（登録商標）、コンパクトフラッシュ（登録商標）、マルチメディアカード（登録商標）、ＳＤメモリカード（登録商標）等のメモリカードを着脱可能に備えている。以下、メディア入力部１３に装填されたメディアをメディアＡと称す。
【００３０】
メディア出力部１４は、ＣＤ−Ｒ、ＤＶＤ−Ｒ、ＭＯ（Ｍａｇｎｅｔｏ　Ｏｐｔｉｃａｌ　Ｄｉｓｋ）、ＰＣカード、メモリスティック（登録商標）、スマートメディア（登録商標）、コンパクトフラッシュ（登録商標）、マルチメディアカード（登録商標）等、データの書き込みが可能なメディアを着脱可能に備えており、制御部１０からの制御信号に従って、データの書き込みを行う。
【００３１】
また、メディア出力部１４は、必要に応じて、メディアＡの記録内容を回覧するためのソフトウェア、注文票を客のパーソナルコンピュータで出力するためのソフトウェア、注文票のイメージファイル、インターネットを介してプリント注文を行うためのソフトウェア等を、メディア出力部１４に装填されたメディアに同時に書き込むこともできる。更に、メディア出力部１４は、装填されたメディアに、客のデータ以外の必要なデータを予め書き込むこともできる。
【００３２】
プリント出力部１５は、給紙部（図示せず）と排紙部（図示せず）等を備え、制御部１０からの制御信号に従って、印刷用紙にプリント注文票を印刷出力する。プリント出力部１５における印刷方式は、インクジェット方式、熱転写方式、レーザー方式、昇華型方式、ＴＡ方式のうちの何れか１つの方式が適用されている。また、印刷用紙は、連続用紙（ロール紙）、単票用紙（カット紙）の一方若しくは双方の用紙が使用可能である。また、印刷用紙は、どの注文にも共通する必要事項が予め印刷されているのを使用してもよい。
【００３３】
記憶部１６は、ＨＤ（Ｈａｒｄ　Ｄｉｓｋ）等を備え、後述の注文票発行処理（図３参照）において、メディア入力部１３に装填されたメディアＡの記録内容、注文票発行に必要な各種プログラムやデータを格納する。これらのプログラムやデータは、通信部１７を介して外部から書き換えることが可能である。
【００３４】
また、記憶部１６は、メディア毎に割り当てられた注文番号を記憶した注文番号テーブル１６ａを格納している。注文番号テーブル１６ａは、図２（ａ）に示すように、メディア毎に、「内部システム用Ｎｏ．」と「注文票出力用Ｎｏ．」の各項目を対応付けて記憶している。注文番号テーブル１６ａの各項目に記憶される注文番号は、後述の注文票発行処理（図３参照）において割り当てられる。
【００３５】
注文番号テーブル１６ａにおいて、「内部システム用Ｎｏ．」項目は、フォトサービスを提供する全店舗（全国の写真専門店や取次店等）で適用されるユニークな番号を記憶する。なお、「内部システム用Ｎｏ．」項目に記憶されるデータは、数字に限定されず、アルファベットを組み合わせてもよい。
【００３６】
また、注文番号テーブル１６ａにおいて、「注文票出力用Ｎｏ．」項目は、プリントサービスを提供する店舗毎に適用されるユニークな番号を記憶する。この「注文票出力用Ｎｏ．」項目で記憶される番号は、注文票発行機１により発行される注文票上に実際に印刷される。この「注文票出力用Ｎｏ．」項目に記憶される番号は、図２（ａ）に示すように、「内部システム用Ｎｏ．」項目で設定される番号に比べて桁数が少なく、例えば、４、５桁程度の数字が割り当てられ、客や店員が注文番号の確認や指定を容易に行えるようになっている。注文票出力用Ｎｏ．は数字が好ましいが、これに限定されず、アルファベット等を組み合わせてもよい。
【００３７】
更に、記憶部１６は、メディア入力部１３から入力された画像データに関する情報を記憶した画像データ情報１６ｂを格納している。この画像データ情報１６ｂは、後述の注文票発行処理（図３参照）において作成される。画像データ情報１６ｂは、図２（ｂ）に示すように、内部システム用Ｎｏ．毎に、「Ｎｏ．」、「パス名」、「ファイル名（フラット）」の各項目を対応付けて格納している。
【００３８】
画像データ情報１６ｂにおいて、「Ｎｏ．」項目は、画像データ内のファイル毎に付与されたファイル番号を記憶する。「Ｎｏ．」項目で設定される各ファイル番号は、一つの注文Ｎｏ．内でユニークに設定される番号であり、これらのファイル番号は、画像データに対する処理を注文するための注文票上に印刷出力されることになる（図４参照）。図４に示した注文票αにおいては、この「Ｎｏ．」項目で設定されたファイル番号は、サムネイル画像毎に付与された番号Ｎｏ．１、Ｎｏ２、Ｎｏ．３、…に対応する。
【００３９】
画像データ情報１６ｂにおいて、「パス名」項目は、メディアＡに記録された画像データ内の各画像ファイルのディレクトリパスを記憶し、「ファイル名（フラット）」項目は、「パス名」項目の各画像ファイルを特定するために付与されたファイル名を記憶している。この「ファイル名（フラット）」項目で設定されるファイル名は、メディアＡの画像データのディレクトリ構造をフラットなディレクトリ構造に構築し直した場合のファイル名である。
【００４０】
なお、画像データ情報１６ｂは、メディアＡに記録された画像データに対応付けて、当該画像データに付与されたタイトルを記憶するようにしてもよい。
【００４１】
なお、上述では、記憶部１６は、メディアＡのディレクトリ構造をフラットなディレクトリ構造に変えて、メディアＡ内の各ファイルの格納を行うようにしているが、メディアＡのディレクトリ構造を保持して格納するようにしてもよい。また、メディアＡ内の各ファイルの格納に際し、ディレクトリ構造を保持するか否かをキー入力部１２から指定できるようにしてもよい。また、上述では、記憶部１６が、メディアＡ内の各ファイルを格納するようにしたが、後述の通信部１７を介して外部機器内の記憶部に格納するようにしてもよい。
【００４２】
通信部１７は、モデム（ＭＯＤＥＭ：Ｍｏｄｕｌａｔｅｒ／ＤＥＭｏｄｕｌａｔｅｒ）、ターミナルアダプタ（Ｔｅｒｍｉｎａｌ　Ａｄａｐｔｅｒ）、ＬＡＮアダプタ等によって構成され、電話回線、ＩＳＤＮ回線、或いは専用線等の通信回線を介して、通信ネットワークに接続される外部機器（店舗に設置された他の注文票発行機やパーソナルコンピュータ、外部のサーバ等）との通信を行うための通信制御を行う。
【００４３】
次に、本実施の形態の動作を説明する。
図３に示したフローチャートを参照して、注文票発行機１により実行される注文票発行処理について説明する。
【００４４】
所定のグループで共有する画像データが記録されたメディアＡがメディア入力部１３に装填され、メディア入力部１３から当該画像データが入力されると（ステップＳ１）、制御部１０は、入力された画像データの記憶部１６への書き込みを開始する（ステップＳ２）。ここで、ステップＳ１において、画像データの入力とともに、その画像データに付与するタイトルを入力するようにしてもよい。また、「所定のグループで共有する画像データ」とは、グループ旅行や同窓会等で撮影された写真画像のデータ、即ち、複数人から構成されるグループ内で撮影された写真画像のデータを示す。
【００４５】
記憶部１６への書き込みに際して、制御部１０は、メディアＡに対して注文番号（内部システム用Ｎｏ．及び注文票出力用Ｎｏ．）を割り当て、その割り当てた注文番号を注文番号テーブル１６ａに格納する。また、制御部１０は、メディアＡに対応する画像データ情報１６ｂを作成し、記憶部１６に格納する。
【００４６】
この画像データ情報１６ｂの作成において、制御部１０は、まず、メディアＡ内の各ファイルにファイル番号（Ｎｏ．）を付与する。また、制御部１０は、メディアＡ内のファイル毎に、ファイルを特定するファイル名を付与し、メディアＡ内のディレクトリ構造をフラットなディレクトリ構造に変える。
【００４７】
そして、制御部１０は、メディアＡ内のファイル毎に、上記で付与したファイル番号（Ｎｏ．）、メディアＡ内のディレクトリ構造におけるディレクトリパス、フラットなディレクトリ構造におけるファイル名（フラット）を対応付けた画像データ情報１６ｂ（図２（ｂ））を作成する。
【００４８】
ステップＳ２における画像データの書き込み後、制御部１０は、記憶部１６に記憶されたデータに基づいて、注文票データの作成を行う（ステップＳ３）。この注文票データの作成において、制御部１０は、ステップＳ２で記憶部１６に書き込まれた各画像ファイルに対しては、注文票に画像の一覧印刷を行うため、画像ファイル毎にサムネイル画像を作成する。
【００４９】
次いで、制御部１０は、ステップＳ３で作成された注文票データに基づいて、プリント出力部１５から注文票を印刷出力し（ステップＳ４）、本注文票発行処理を終了する。
【００５０】
図４に、図３の注文票発行処理により発行された注文票αの例を示す。注文票αの最上部左側には、「受付日」、「注文Ｎｏ．」の他、注文者情報記入欄として「法人名」、「お名前」、「電話番号」の各項目が設けられている。「受付日」項目には、注文票αを発行した日付が印刷され、「注文Ｎｏ．」項目には、注文番号テーブル１６ａ（図２（ａ））の注文票出力用Ｎｏ．に設定された４桁の番号が印刷される。また、「法人名」項目、「お名前」項目及び「ＴＥＬ」項目には、それぞれ、データ処理の注文をする客の法人名、氏名、電話番号が記入可能な空欄が設けられている。
【００５１】
注文票αの上部中央には、本注文票αによる注文によって作成された焼増しプリントやＣＤーＲ等の配送先を指定するための配送先指定欄が設けられ、配送先の郵便番号、住所、電話番号、受取人の名前が記入可能な空欄が設けられている。
【００５２】
注文票αの最上部右側には、注文を特定する情報として、注文Ｎｏ．（内部システム用Ｎｏ．）を示すバーコードが印刷されている。また、このバーコードの下部には、「有効期限」、「取次店」、「ＴＥＬ」、「住所」の各項目が設けられている。
【００５３】
「有効期限」項目には、本注文票αによるデータ処理注文の有効期限が印刷される。「取次店」項目、「ＴＥＬ」項目及び「住所」項目には、それぞれ、注文票αを発行した店舗の名前（取次店名）、電話番号、住所が印刷される。
【００５４】
また、注文者情報記入欄及び配送先指定欄の下部には、本注文票αを用いたデータ処理の注文方法を指定するための注文方法選択欄が設けられている。データ処理の注文方法としては、「来店」、「ＦＡＸ」、「Ｗｅｂ」、「ｅ−ｍａｉｌ」、「電話」があり、各注文方法名の前には、注文方法を指定するためのチェックボックスが設けられている。
【００５５】
注文方法選択欄において、「来店」は、注文客が、本注文票αを持参してフォトサービスを提供している写真専門店や取次店に出向くことを示し、「ＦＡＸ」は、必要事項が記入された本注文票αをファクシミリ送信することを示す。「Ｗｅｂ」は、指定されたＵＲＬにアクセスし、Ｗｅｂ画面上に必要事項を入力して注文を行うことを示し、「ｅ−ｍａｉｌ」は、注文内容を入力した電子メールを、指定されたアドレスに送信することを示す。「電話」は、指定された電話番号に電話をして、オペレータの電話応対による注文又はテレフォニーシステムを使用した電話自動応対により注文を行うことを示す。
【００５６】
注文方法選択欄の右隣には、データ処理注文の支払方法を指定するための支払い方法選択欄が設けられている。支払方法としては、「来店決済」、「銀行振り込み」、「郵便振替」及び「法人処理」があり、各支払方法名の前には、支払い方法を指定するためのチェックボックスが設けられている。
【００５７】
支払い方法選択欄において、「来店決済」は、フォトサービスを提供している写真専門店や取次店の店頭で現金にて決済することを示し、「銀行振り込み」は、指定された銀行口座に払い込むことを示し、「郵便振替」は、指定された郵便振替口座に払い込むことを示し、「法人処理」は、買い掛けによる支払いを示す。なお、支払い方法として、クレジットカードによる支払いを含めるようにしてもよい。
【００５８】
注文方法選択欄及び支払い方法選択欄の下部には、本注文票αにより注文を行うサービスを指定するためのサービス指定欄が設けられている。本注文票αにより注文が可能なサービスの種類としては、「焼増し」、「アルバム」、「ＣＤ−Ｒ作成」、「シールプリント」、「Ｔシャツ」、「マグカップ」があり、各サービス名の前には、サービスを指定するためのチェックボックスが設けられている。
【００５９】
このサービス指定欄において、「焼増し」は、焼増しサービスを示し、「アルバム」は、フォトアルバムの作成サービスを示し、「ＣＤ−Ｒ作成」は、ＣＤ−Ｒへのデータ書き込みサービスを示す。また、「シールプリント」は、シールプリントの作成サービスを示し、「Ｔシャツ」は、プリントＴシャツの作成サービスを示し、「マグカップ」は、マグカップへのプリントサービスを示す。
【００６０】
更に、注文票αには、インデックスプリントのように、注文票発行機１に入力された画像データのサムネイル画像が一覧印刷され、サムネイル画像毎に、ファイル番号が印刷されている。また、サムネイル画像の下部には、プリントサイズ（Ｌ、２Ｌ）の指定欄及びＣＤ−Ｒへの書き込みを指定する欄が設けられているとともに、プリント枚数が記入可能な空欄が設けられている。また、バーコード化されたファイル番号が印刷されている。ここで、サムネイル画像毎に示されるファイル番号（Ｎｏ．１、Ｎｏ．２、…）は、メディアＡ用の画像データ情報１６ｂ（図２（ｂ））の「Ｎｏ．」項目において設定された番号である。
【００６１】
注文票発行機１に入力された画像データのサムネイル画像一覧の上部には、当該画像データに付与されたタイトルが印刷される。上述のステップＳ１においてタイトルが入力されなかった場合は、このタイトル欄は空欄となる。
【００６２】
サムネイル画像一覧の下部には、客が、作成された焼増しプリントやＣＤ−Ｒ等を受け取る方法を指定するための受取方法選択欄が設けられている。受取方法としては、「注文店舗に来店」、「別店舗に来店」、「宅配便」、「郵送」があり、各受取方法名の前には、受取方法を指定するためのチェックボックスが設けられている。
【００６３】
受取方法選択欄において、「注文店舗に来店」は、本注文票αによって注文を行った店舗に来店して受け取ることを示す。「別店舗に来店」は、注文店舗のチェーン店や契約店舗に来店して受け取ることを示す。「別店舗に来店」欄には、受取可能な店舗の名前が印刷されており、各店舗名の前には、受取店を指定するためのチェックボックスが設けられている。「宅配便」は、宅配便による受け取りを示している。「宅配便」欄には、宅配手数料が印刷されている。「郵送」は、郵送による受け取りを示している。「郵送」欄には、手数料が印刷されている。なお、受取方法として、「宅配便」又は「郵送」を指定した場合、注文票α上部の配送先指定欄の記入が必須となる。
【００６４】
注文票αの最下部右側には、地域のお知らせや、各種サービスを提供する店舗の広告等が印刷される。
【００６５】
なお、図４に示した注文票αでは、データ書き込みの対象となるメディアをＣＤ−Ｒとしているが、ＤＶＤ−Ｒ、ＭＯ（Ｍａｇｎｅｔｏ　Ｏｐｔｉｃａｌ　Ｄｉｓｋ）、ＰＣカード、メモリスティック（登録商標）、スマートメディア（登録商標）、コンパクトフラッシュ（登録商標）、マルチメディアカード（登録商標）等のメディアであってもよい。ＣＤ−Ｒ等のメディアへのデータ書き込みは、注文票発行機１のメディア出力部１４で行ってもよいし、他の装置で行ってもよい。
【００６６】
なお、図４に示した注文票αは、本発明の注文シートの一例であり、レイアウト等は、これに限定されない。
【００６７】
注文票αが発行されると、注文票αのコピーがグループの各メンバーに配布され、各メンバーは、配布された注文票を用いて、各々所望のタイミングで、各種データ処理注文（焼増し注文やＣＤ−Ｒへの書き込み注文）を行うことになる。
【００６８】
以上のように、本実施の形態の注文票発行機１により発行された注文票αによれば、データ処理（焼増し、ＣＤ−Ｒへの書き込み等）の注文方法、その注文に対する代金の支払方法及びそのデータ処理による作成物（焼増しプリント、ＣＤ−Ｒ等）の受取方法を、複数種類の中から択一的に選択可能にしたことにより、各注文者（グループの各メンバー）は、自分にとって都合のよい注文方法、支払方法及び受取方法を選択することができる。
【００６９】
また、注文票αのコピーを、グループの各メンバーに配布することにより、各メンバーは、各々所望のタイミングで、データ処理注文を行うことができる。従って、従来のように、データ処理注文をグループ代表者の裁量に任せる必要がなくなり、各メンバーにとって、データ処理の注文がし易くなる。このように、各メンバーによる注文の便宜を図ることにより、プリント需要等の拡大を図ることができる。
【００７０】
特に、注文票αには、グループの各メンバーの識別情報（名前、電話番号）の記入欄が設けられていることにより、当該記入欄に、メンバーの識別情報を直筆で記入可能にしたことで、各メンバーが自ら注文を行うことが可能になり、注文票の悪用を防ぐことができる。
【００７１】
更に、注文票αに印刷される注文Ｎｏ．が、４桁程度の簡易な数字であるため、電話やＷｅｂ上で注文を行う時、注文客は、この４桁程度の簡易な数字を指定すればよく、注文がし易くなる。
【００７２】
また、注文票αには、インデックスプリントのように、サムネイル画像が一覧印刷されることにより、注文客は、データ処理注文を行う画像を容易に確認することができる。このように、注文票αにインデックスプリントを使用することで、インデックスプリントの有効利用を図ることができる。
【００７３】
なお、本実施の形態における記述内容は、本発明の趣旨を逸脱しない範囲で適宜変更可能である。
【００７４】
例えば、本実施の形態における注文票αでは、注文方法、支払方法及び受取方法が、各々複数種類から構成されていたが、注文方法、支払方法及び受取方法のうちの少なくとも１つが、複数種類から構成されるようにしてもよい。例えば、注文方法及び支払方法を各々１種類に固定し、受取方法のみが、複数種類の中から選択可能にすることが可能である。
【００７５】
【発明の効果】
請求項１記載の発明によれば、所定の処理の注文を行う方式が、複数種類の中から選択可能であることにより、注文者は、所望の注文方式で注文を行うことができ、注文がし易くなる。
【００７６】
請求項２記載の発明によれば、所定の処理により作成された作成物の受取方式が、複数種類の中から選択可能であることにより、注文者は、所望の受取方式で注文を行うことができ、注文がし易くなる。
【００７７】
請求項３記載の発明によれば、所定の処理の注文に対する代金の支払方式が、複数種類の中から選択可能であることにより、注文者は、所望の支払方式で注文を行うことができ、注文がし易くなる。
【００７８】
請求項４記載の発明によれば、データに対する処理が、複数種類の中から選択可能であることにより、注文客は、所望の処理を注文することができる。
【００７９】
請求項５記載の発明によれば、データ処理の注文を行う方式、支払方式及び受取方式のうちの少なくとも１つは、複数種類の中から選択可能であることにより、注文者は、自分の都合にあわせてデータ処理の注文を行うことができ、注文がし易くなる。
【００８０】
請求項６記載の発明によれば、請求項１〜５の何れか一項に記載の発明の効果に加えて、データ処理の対象となる画像データのサムネイル画像が印刷されていることにより、注文者は、データ処理注文を行う画像を容易に確認することができる。
【００８１】
請求項７記載の発明によれば、請求項１〜６の何れか一項に記載の発明の効果に加えて、所定のグループを構成するメンバーの識別情報の記入欄が設けられていることにより、グループの各メンバーが自ら注文を行うことが可能になる。
【図面の簡単な説明】
【図１】本発明の注文シートを発行する注文票発行機１の内部構成を示すブロック図。
【図２】記憶部１６に記憶された注文番号テーブル１６ａのデータ構成（同図（ａ））と、画像データ情報１６ｂのデータ構成（同図（ｂ））を示す図。
【図３】注文票発行機１により実行される注文票発行処理を示すフローチャート。
【図４】注文票発行機１により発行された注文票αを示す図。
【符号の説明】
１　　注文票発行機
１０　制御部
１１　表示部
１２　キー入力部
１３　メディア入力部
１４　メディア出力部
１５　プリント出力部
１６　記憶部
１６ａ　注文番号テーブル
１６ｂ　画像データ情報
１７　通信部
１８　バス
α　　注文票
【図１】
2004058451.tif 000003
【図２】
2004058451.tif 000004
【図３】
2004058451.tif 000005
【図４】
2004058451.tif 000006